【手続補正書】
【提出日】平成22年9月6日(2010.9.6)
【手続補正１】
【補正対象書類名】明細書
【補正対象項目名】０００６
【補正方法】変更
【補正の内容】
【０００６】
しかしながら、前述のリモートコピーシステムにおいて、第１の記憶システムの論理ボリュームと第２の記憶システムの仮想ボリュームとを一対とするペア（第１のペア）の設定完了後、第２の記憶システムの仮想ボリュームと第３の記憶システムの論理ボリュームとを一対とするペア（第２のペア）を設定すると、第２の記憶システムは実ボリュームを持たないので、第２のペアの設定完了までの間、第２の記憶システムにおいて第１の記憶システムの更新データが保持されず、第1の記憶システムのデータを、第３の記憶システムにバックアップすることができないという問題が生じていた。
【手続補正２】
【補正対象書類名】明細書
【補正対象項目名】００４３
【補正方法】変更
【補正の内容】
【００４３】
図８はジャーナル管理テーブルの他の例を説明する構成図である。図７には第２の記憶システム２０が保持するペア管理テーブル５００を示したが、第２の記憶システム２０が保持するジャーナル管理テーブル６００と、第３の記憶システム３０が保持するジャーナル管理テーブル６００とは異なる。すなわち、図８に示すように、第３の記憶システム３０が保持するペア管理テーブル５００には、パージシーケンシャル番号欄６００Ｈに代え、リストアシーケンシャル番号欄６００Ｉがある。リストアシーケンシャル番号欄６００Ｉには、例えば第３の記憶システム３０の論理ボリューム（Ｄａｔａ２）２００から第３の記憶システム３０の論理ボリューム（Ｄａｔａ２）２００にリストア（復元）するときに、リストア済の最新のジャーナルデータ９５０のシーケンシャル番号が格納される。
【手続補正３】
【補正対象書類名】明細書
【補正対象項目名】００５１
【補正方法】変更
【補正の内容】
【００５１】
なお、前述の説明において、第１の記憶システム１０と第２の記憶システム２０との間は同期転送によるリモートコピー（同期コピー）が行われる。本実施形態における同期コピーとは、ホストコンピュータ４１から第１の記憶システム１０にデータ更新要求があったときに、当該データを第１の記憶システム１０から第２の記憶システム２０に転送し、第２の記憶システム２０でのデータ更新完了をもって第１の記憶システム１０のデータ更新完了を保証する処理手順をいう。このように、第１の記憶システム１０と第２の記憶システム２０との間で同期コピーを行うことにより、論理ボリューム（ＯＲＧ１）１１０と論理ボリューム（Ｄａｔａ１）１５０のデータイメージは巨視的に視ると常に一致する。巨視的に視て常に一致するとは、データの同期転送を行っている間は、データの転送時間や各記憶システム１０，２０の処理時間の単位（μ秒）で一致してない状態があり得るが、データ更新処理完了の時点ではデータイメージは常に一致していることをいう。
【手続補正４】
【補正対象書類名】明細書
【補正対象項目名】００５５
【補正方法】変更
【補正の内容】
【００５５】
なお、前述の説明において、第２の記憶システム２０と第３の記憶システム３０との間は非同期転送によるリモートコピー（非同期コピー）が行われる。本実施形態における非同期コピーとは、第１の記憶システム１０から第２の記憶システム２０に対するデータ更新要求の延長では、当該データを第３の記憶システム３０には転送せず、第２の記憶システム２０でのデータ更新完了後、非同期に第３の記憶システム３０にデータを転送する処理手順をいう。すなわち、第３の記憶システム３０は自己のスケジュールに応じて（例えば、処理負荷が小さいときを選択して）、第１の記憶システム１０からのデータ更新要求とは非同期に、第３の記憶システム３０にデータを転送することをいう。第２の記憶システム２０と第３の記憶システム３０との間で非同期コピーを行うことにより、論理ボリューム（Ｄａｔａ２）２００のデータイメージは、過去のある時点における論理ボリューム（Ｄａｔａ１）１５０のデータイメージに一致しているが、現時点における論理ボリューム（Ｄａｔａ１）１５０のデータイメージと一致しているとは限らない。
【手続補正５】
【補正対象書類名】明細書
【補正対象項目名】００５６
【補正方法】変更
【補正の内容】
【００５６】
ここで、説明の便宜上、１つの論理ボリュームに対し、正論理ボリューム（Ｐ−ＶＯＬ）とするペア及び副論理ボリューム（Ｓ−ＶＯＬ）とするペアが設定される構成をカスケード構成という。本実施形態では、図１に示すように、第２の記憶システム２０の論理ボリューム（Ｄａｔａ１）１５０に対してカスケード構成が構築されている。仮想ボリュームである論理ボリューム（Ｄａｔａ１）１５０に対してカスケード構成を構築する際に、論理ボリューム（Ｄａｔａ１）１５０を正論理ボリューム（Ｐ−ＶＯＬ）とするペアを設定する前に、論理ボリューム（Ｄａｔａ１）１５０を副論理ボリューム（Ｓ−ＶＯＬ）とするペアを設定すると、論理ボリューム（Ｄａｔａ１）１５０は実ボリュームを持たないので、第２の記憶システム２０にライトデータ６１０の書き込み先が存在しない。また、第２の記憶システムの論理ボリュームと第３の記憶システムの論理ボリュームとのペアが存在しないため、第１の記憶システム１０の論理ボリューム（ＯＲＧ１）１１０へのデータ更新を、第３の記憶システム３０の論理ボリューム（Ｄａｔａ２）２００に反映できない。よって、仮想ボリュームに対してカスケード構成を構築する際には、仮想ボリュームを正論理ボリューム（Ｐ−ＶＯＬ）とするペアを設定後、仮想ボリュームを副論理ボリューム（Ｓ−ＶＯＬ）とするペアを設定する必要がある。
【手続補正６】
【補正対象書類名】明細書
【補正対象項目名】００８２
【補正方法】変更
【補正の内容】
【００８２】
また、ペア状態欄５００Ｆが「ＳＭＰＬ」から「ＣＯＰＹ」に変更されると、非同期コピーペアの設定が完了するので、正論理ボリューム（Ｐ−ＶＯＬ）である第２の記憶システム２０の論理ボリューム（Ｄａｔａ１）１５０から副論理ボリューム（Ｓ−ＶＯＬ）である第３の記憶システム３０の論理ボリューム（Ｄａｔａ２）２００へのコピーが開始される。コピーが完了すると、最初に第３の記憶システム３０のペア状態変更部６１５が副論理ボリューム（Ｓ−ＶＯＬ）のペア状態を「ＰＡＩＲ」に変更し、次に第２の記憶システム２０のペア状態変更部６１５が正論理ボリューム（Ｐ−ＶＯＬ）のペア状態を「ＰＡＩＲ」に変更する。正論理ボリューム（Ｐ−ＶＯＬ）及び副論理ボリューム（Ｓ−ＶＯＬ）がともに「ＰＡＩＲ」に変更されたときに（図１７の二重丸）、ペアのデータが完全に一致する。
【手続補正７】
【補正対象書類名】明細書
【補正対象項目名】００９３
【補正方法】変更
【補正の内容】
【００９３】
Ｓ４７４の判定の結果、同期コピーペア設定コマンドを受信可能と判定したときに、ペア状態変更部６１５は、共有メモリ８０内のペア管理テーブル５００において、例えば同期コピーペア設定コマンドに指定された副論理ボリューム（Ｓ−ＶＯＬ）の論理ボリューム番号と同一の番号が自論理ボリューム番号欄５００Ａに格納され、かつ、自ボリューム属性欄５００Ｂに「副」が格納された行（レコード）を読み出し、当該行（レコード）のペア状態欄５００Ｆを変更して共有メモリ８０内のペア管理テーブル５００に書き込む（Ｓ４７５）。具体的には、ペア状態欄５００Ｆを「ＳＭＰＬ」から「ＣＯＰＹ」に変更する。これにより、同期コピーペアの設定が開始される。ペア状態欄５００Ｆを変更後、コマンド発行部６１４は、正常終了を第１の記憶システム１０に送信する（Ｓ４７６）。一方、同期コピーペア設定コマンドを受信不能と判定したときに、コマンド発行部６１４は、異常終了を第１の記憶システム１０に送信する（Ｓ４７７）。
【手続補正８】
【補正対象書類名】明細書
【補正対象項目名】０１１６
【補正方法】変更
【補正の内容】
【０１１６】
Ｓ７２３の判定の結果、同期コピーペアがないときに、ペア状態変更部６１５は、共有メモリ８０内のペア管理テーブル５００において、例えば非同期コピーペア削除コマンドに指定された正論理ボリューム（Ｐ−ＶＯＬ）の論理ボリューム番号と同一の番号が自論理ボリューム番号欄５００Ａに格納され、かつ、自ボリューム属性５００Ｂに「正」が格納された行（レコード）を読み出し、当該行（レコード）のペア状態欄５００Ｆを変更して共有メモリ８０内のペア管理テーブル５００に書き込む（Ｓ７２４）。具体的には、ペア状態欄５００Ｆを「ＰＡＩＲ」から「Ｄｅｌｅｔｉｎｇ」に変更する。
【手続補正９】
【補正対象書類名】明細書
【補正対象項目名】０１１７
【補正方法】変更
【補正の内容】
【０１１７】
ペア状態欄５００Ｆを変更後、コマンド発行部６１４は、正常終了を第１の記憶システム１０に送信する（Ｓ７２４）。一方、Ｓ７２３の判定の結果、同期コピーペアがあるときに、コマンド発行部６１４は、異常終了を第１の記憶システム１０に送信する（Ｓ７２５）。また、Ｓ７２２の判定の結果、非同期コピーペア削除コマンドを受信不能と判定したときにも、コマンド発行部６１４は、異常終了を第１の記憶システム１０に送信する（Ｓ７２６）。